【事件の表示】
　平成２年特許願第３２２６１６号「光学式エンコーダ」拒絶査定に対する審判事件（平成４年７月１４日出願公開、特開平４−１９４６１６）について、次のとおり審決する。
【結論】
　本件審判の請求は、成り立たない。
【理由】
１．手続の経緯・請求項１に係る発明
　本願は、平成２年１１月２８日の出願であって、その請求項１乃至４に係る発明は、平成３年３月２９日付け、平成９年８月２２日付け、平成１０年１月１６日付け及び平成１１年７月２７日付け手続補正書により補正された明細書及び図面の記載からみて、その特許請求の範囲の請求項１乃至４に記載されたとおりのものと認められるところ、その請求項１に係る発明は、次のとおりのものである。
　「（１）回転スリット板もしくは回転スリット板と固定スリット板の対と、前記スリット板のＡ，Ｂ相用スリット列、Ｚ相用スリットに対する投光素子および受光素子を有し、ＡＣモータに取付けられる光学式エンコーダにおいて、
　前記回転スリット板の表面にＵ，Ｖ，Ｗ相用の磁極検出パターンが形成され、この磁極検出パターンは偶数個の高反射率部と低反射率部が周方向に交互に連続するパターンであり、この磁気検出パターンに向けて光を照射するＵ，Ｖ，Ｗ相用の３個の反射型センサが周方向に順次所定間隔で配設されていることを特徴とする光学式エンコーダ。」
２．引用例の記載事項
　当審で平成１１年４月８日付けで通知した拒絶の理由に引用した、実願昭６２−１３９６４号（実開昭６３−１２４０７８号）のマイクロフィルム（以下、引用例１という。）には、ロータマグネットの磁極とエンコーダディスクの相対位置合わせを容易にしたブラシレスモータに関して、下記の事項が図面とともに記載されている。
　「第４図において、符号３０はエンコーダディスクであり、このエンコーダディスク３０の外周縁部にはモータ位置決め及び速度検出用パターン３５が設けられると共に、その内周部に３相構成のステータコイル１〜６への通電を制御する３対のパターン３１ｐ、３２ｐ、３１ｑ、３２ｑ、３１ｒ、３２ｒが設けられている。上記パターン３５は多数の直線状のパターンを放射方向に一定間隔で配置することにより形成されている。また一対の通電制御用パターン３１ｐ、３２ｐは第１相のステータコイルヘの通電を制御するもので、中心孔３３を挟み１８０°間隔で相対向し、かつそれぞれ中心角９０°の範囲に形成されている。同様に、第２相のステータコイルヘの通電を制御する一対のパターン３１ｑと３２ｑ、及び第３相のステータコイルヘの通電を制御する一対のパターン３１ｒと３２ｒも、中心孔３３を挟み１８０°間隔で相対向し、かつそれぞれ中心角９０°の範囲に形成されている。これら３対の通電制御用パターンは相互に位相を１２０°ずつずらして設けられている。エンコーダディスク３０はガラス等の透明体を基板とし、これに上記各パターンの部分を除いて塗料を塗り、上記各パターンの部分を光の透過部とすることによって作ることができる。もっとも、ディスク全体を透明体とし、上記各パターン部分のみが遮光部となるように塗料を塗ってもよい。また、不透明板の打ち抜きによってエンコーダディスク３０を形成してもよい。エンコーダディスク３０はその中心孔３３を前記回転軸１７のボス部に嵌合し、このボス部をかしめるなどして回転軸１７と一体的に取りつけられている。
　以上述べた受光基板２１及びエンコーダディスク３０を有してなるブラシレスモータは、第５図に示されているような駆動回路によって駆動される。この駆動回路自体は従来知られているものと変わりがない。第５図において、エンコーダディスク３０はロータマグネット１９と一体回転し、通電制御用パターン３１ｐ〜３２ｒと位置決め及び速度検出用パターン３５を透過した発光素子３７からの光が受光素子２５で受光される。上記パターン３５を透過した光によって得られる受光信号はアンプ４３を通してサーボ信号として供される。上記パターン３１ｐ〜３２ｒを透過した光を受光することによって得られる極切換信号は波形整形回路４１を介して分配回路４５に入力される。分配回路４５は上記極切換信号に基づき３対のトランジスタ５１、５２、５３、５４、５５、５６をオン、オフ制御し、Δ形に接続されたステータコイルＬ１、Ｌ２、Ｌ３への通電を制御してロータマグネット１９を連続的に回転駆動する。
　第６図は、上記駆動回路の動作を示すものであって、極切換信号として供されるエンコーダ出力と、分配回路４５の各端子の出力と、モータのステータコイルヘの印加電圧との関係を示す。このような駆動回路の動作も周知である。」（第８頁１２行乃至第１１頁４行）
　同じく引用した実願平１−１３７１４号（実開平２−１０５１１８号）のマイクロフィルム（以下、引用例２という。）には、同期形ＡＣサーボモータの回転磁極の位置を検出するコミテーション信号発生用のロータリエンコーダに関して、下記の事項が図面とともに記載されている。
　「同期形ＡＣサーボモータは、位相が１２０度づつずれたＵ，Ｖ，Ｗの三つの信号をコミテーション信号として用いる。そして、その１回転あたりの周期数は、モータの磁極の数が４のとき２、６のとき３、８のとき４必要である。
　この種のものには、回転軸に固着される円板の半径方向の異なる三つの層に同期形ＡＣサーボモータの磁極数により定まる所定数（磁極数の１／２）の等角度間隔のパターン（例えば、反射、無反射パターン、あるいは透過、不透過パターン）を相互に所定のずれをもたせて形成し、その各パターンと対向させてパターンセンサ（例えば、反射型光電センサ、あるいはパターンをはさみ配置される投受光センサ）を配置してなるものがある。
　（考案が解決しようとする課題）
　しかし、これは円板の半径方向に３層のパターンを形成する必要があるため、全体に大型化してしまうことが避けられない。また、３層のパターンの干渉を防ぐためその同心度の確保など、パターンの製作に際しても細心の注意が必要となる。
　（課題を解決するための手段）
　この考案は、上記課題を解決するために、円板上のパターンは１層のみとし、その周方向に所定の間隔で３個のパターンセンサを配置するようにしたものであり、同期形ＡＣサーボモータの回転軸に固着され、周面に上記同期形ＡＣサーボモータの磁極数により定まる所定数の等角度間隔のパターンを有する円板と、その円板のパターンと対向して周方向に所定の挟角で配置された３個のパターンセンサとからなる。」（第１頁１７行乃至第３頁７行）
　「磁極数４の同期形ＡＣサーボモータ用ロータリエンコーダの実施例を示す第１図およびそのＡ−Ａ方向、Ｂ−Ｂ方向断面を示す第２、３図において、モータの回転軸１には円板２が固着され、その円板２の周面には９０度間隔の反射、無反射部からなるパターン（第３図）が形成され、基部がモータケース５に固着された印刷回路基板３上には上記パターンと対向し、かつ相互は１２０度の間隔をもって反射型光電センサ１１、１２、１３が配置（第２図）されている。
　以上のものにおいて、いまモータ回転軸１が軸先端側からみて時計方向に回転すると、反射型光電センサ１１、１２、１３には、回転軸１が９０度回転するごとに周期的に出力レベルが変わり、かつ相互はその配置位置に応じて１２０度の位相差を持つ第４図に示す出力が発生し、それぞれはＵ、Ｖ、Ｗ相信号として利用できる。
　また、上記のものにおいて、同期形ＡＣサーボモータが磁極数８である場合は、円板２のパターンを第５図に示すような周面に４５度間隔で反射、無反射部の形成されたものとする。こうすると、反射型光電センサの配置はそのままで、各反射型光電センサ１１、１２、１３に、第６図に示すような周期的出力が発生し、それぞれはＵ、Ｖ、Ｗ相信号として利用できることになる。
　また、磁極数６の場合は、パターンを６０度間隔とし、３個の反射型光電センサは８０度間隔で配置すればよい。
　尚、上記実施例においては、パターンを反射、無反射部により形成し、パターンセンサを反射型光電センサとした場合を例示したが、それぞれ透過、不透過パターン、投受光センサにより構成してもよい。」（第３頁１６行乃至第５頁８行）
３．請求項１に係る発明と引用例１に記載された発明との対比
　上記「２．引用例の記載事項」の項で摘記した引用例１に記載された技術事項からみて、引用例１に記載された発明の「エンコーダディスク３０」、「モータ位置決め及び速度検出用パターン３５」、「発光素子３７」、「受光素子２５」、「３対のパターン３１ｐ、３２ｐ、３１ｑ、３２ｑ、３１ｒ、３２ｒ」、「ブラシレスモータ」及び「エンコーダ部」は、各々請求項１に係る発明の「回転スリット板」、「スリット板のＡ，Ｂ相用スリット列、Ｚ相用スリット」、「投光素子」、「受光素子」、「Ｕ，Ｖ，Ｗ相用の磁極検出パターン」、「ＡＣモータ」及び「光学式エンコーダ」に相当するものであるから、請求項１に係る発明の用語を使用して請求項１に係る発明と引用例１に記載された発明とを対比すると、両者は、「回転スリット板と、前記スリット板のＡ，Ｂ相用スリット列、Ｚ相用スリットに対する投光素子および受光素子を有し、ＡＣモータに取付けられる光学式エンコーダにおいて、前記回転スリット板の表面にＵ，Ｖ，Ｗ相用の磁極検出パターンが形成されている光学式エンコーダ。」で一致しており、下記の点で相違している。
　相違点；請求項１に係る発明では、回転スリット板の表面に形成されたＵ，Ｖ，Ｗ相用の磁極検出パターンは、偶数個の高反射率部と低反射率部が周方向に交互に連続するパターンであり、この磁極検出パターンに向けて光を照射するＵ，Ｖ，Ｗ相用の３個の反射型センサが周方向に順次所定間隔で配設されているものであるのに対して、引用例１に記載されたエンコーダディスク３０の内周部（表面）に形成されたＵ，Ｖ，Ｗ相用の磁極検出パターンは、透過部と遮光部で形成した３対のパターン３１ｐ、３２ｐ、３１ｑ、３２ｑ、３１ｒ、３２ｒであり、ロータリエンコーダには発光素子３７と受光素子２５が配設されるものである点。
４．上記相違点に対する当審の判断
　上記相違点について検討するに、引用例２には、引用例１に記載されたようなＵ，Ｖ，Ｗ相用の磁極検出パターンを採用することによる課題（問題点）を解決する手段として、周面に同期形ＡＣサーボモータの磁極数により定まる所定数の等角度間隔の反射、無反射部（偶数個の高反射率部と低反射率部が周方向に交互に連続することに相当）からなるパターンを有する円板（回転スリット板に相当）と、その円板のパターンと対向して周方向に所定の挟角で配置された３個の反射型光電センサ１１、１２、１３（３個の反射型センサに相当）とからなる構成を採用することが記載されている。
　そうすると、引用例１に記載されたＵ，Ｖ，Ｗ相用の磁極検出パターンと発光素子３７及び受光素子２５に代えて引用例２に記載されたような周面に同期形ＡＣサーボモータの磁極数により定まる所定数の等角度間隔の反射、無反射部からなるパターンと、そのパターンと対向して周方向に所定の挟角で配置された３個の反射型光電センサを採用して請求項１に係る発明のような光学式エンコーダとすることは、当業者が必要に応じて容易に想到することができる程度の技術事項と認める。
　また、請求項１に係る発明の効果も、引用例１及び２に記載された発明から当業者であれば予測することができる程度のものであって、格別のものとはいえない。
５．むすび
　以上のとおりであるから、請求項１に係る発明は、引用例１及び２に記載された発明に基づいて当業者が容易に発明をすることができたものであるから、特許法第２９条第２項の規定により特許を受けることができない。
　よって、結論のとおり審決する。